(57)【要約】【課題】調整工数を低減することができるとともに、信号品質をより向上することができる高速信号伝送装置、高速信号伝送システム、高速信号伝送方法、及び、プログラムを提供する。【解決手段】高速信号伝送装置２００は、他の高速信号伝送装置３００からの信号を受信する受信回路部２２０と、他の高速信号伝送装置３００に信号を送信する送信回路部２１０と、を伝送チャンネル毎に備え、受信回路部２２０は、他の高速信号伝送装置３００の送信パラメータがインクリメント又はデクリメントされる度に、受信パラメータをスイープさせて、伝送信号品質を測定することにより、他の高速信号伝送装置３００の送信パラメータの最良値と、高速信号伝送装置２００の受信パラメータの最良値とを決定し、送信回路部２１０は、他の高速信号伝送装置３００に、上記送信パラメータの最良値を設定するための送信パラメータ変更要求を送信する。【選択図】図１
2020174228.tif 000002
【特許請求の範囲】
【請求項１】
他の高速信号伝送装置からの信号を受信する受信回路部と、
前記他の高速信号伝送装置に信号を送信する送信回路部と、
を伝送チャンネル毎に備え、
前記送信回路部は、前記他の高速信号伝送装置に対して、当該他の高速信号伝送装置の送信パラメータをインクリメント又はデクリメントする送信パラメータ変更要求を送信し、
前記受信回路部は、
前記他の高速信号伝送装置の送信パラメータがインクリメント又はデクリメントされる度に、受信パラメータをスイープさせて、伝送信号品質を測定し、
測定した前記伝送信号品質が最良値となる際の、前記他の高速信号伝送装置の送信パラメータを前記他の高速信号伝送装置の送信パラメータの最良値と決定し、
測定した前記伝送信号品質が最良値となる際の前記受信パラメータを前記受信パラメータの最良値と決定して、前記受信パラメータを前記受信パラメータの最良値に設定し、
前記送信回路部は、前記他の高速信号伝送装置に対して、当該他の高速信号伝送装置の送信パラメータを前記他の高速信号伝送装置の送信パラメータの最良値に設定するための送信パラメータ変更要求を送信する、高速信号伝送装置。
【請求項２】
前記受信回路部は、
前記他の高速信号伝送装置の送信パラメータが初期設定値に固定された状態で、前記受信パラメータをスイープさせて、前記伝送信号品質を測定することにより、前記受信パラメータの仮の最良値を決定し、
前記受信パラメータを前記仮の最良値に固定した状態で、前記他の高速信号伝送装置の送信パラメータがインクリメント又はデクリメントされる度に、前記伝送信号品質を測定することにより、前記他の高速信号伝送装置の送信パラメータの最良値を決定し、
前記他の高速信号伝送装置の送信パラメータが前記他の高速信号伝送装置の送信パラメータの最良値に固定された状態で、前記受信パラメータをスイープさせて、前記伝送信号品質を測定することにより、前記受信パラメータの最良値を決定する、
請求項１に記載の高速信号伝送装置。
【請求項３】
複数の高速信号伝送装置が通信可能に接続される高速信号伝送システムであって、
前記高速信号伝送装置は、
他の高速信号伝送装置からの信号を受信する受信回路部と、
前記他の高速信号伝送装置に信号を送信する送信回路部と、
を伝送チャンネル毎に備え、
前記送信回路部は、前記他の高速信号伝送装置に対して、当該他の高速信号伝送装置の送信パラメータをインクリメント又はデクリメントする送信パラメータ変更要求を送信し、
前記受信回路部は、
前記他の高速信号伝送装置の送信パラメータがインクリメント又はデクリメントされる度に、受信パラメータをスイープさせて、伝送信号品質を測定し、
測定した前記伝送信号品質が最良値となる際の、前記他の高速信号伝送装置の送信パラメータを前記他の高速信号伝送装置の送信パラメータの最良値と決定し、
測定した前記伝送信号品質が最良値となる際の前記受信パラメータを前記受信パラメータの最良値と決定して、前記受信パラメータを前記受信パラメータの最良値に設定し、
前記送信回路部は、前記他の高速信号伝送装置に対して、当該他の高速信号伝送装置の送信パラメータを前記他の高速信号伝送装置の送信パラメータの最良値に設定するための送信パラメータ変更要求を送信する、高速信号伝送システム。
【請求項４】
前記受信回路部は、
前記他の高速信号伝送装置の送信パラメータが初期設定値に固定された状態で、前記受信パラメータをスイープさせて、前記伝送信号品質を測定することにより、前記受信パラメータの仮の最良値を決定し、
前記受信パラメータを前記仮の最良値に固定した状態で、前記他の高速信号伝送装置の送信パラメータがインクリメント又はデクリメントされる度に、前記伝送信号品質を測定することにより、前記他の高速信号伝送装置の送信パラメータの最良値を決定し、
前記他の高速信号伝送装置の送信パラメータが前記他の高速信号伝送装置の送信パラメータの最良値に固定された状態で、前記受信パラメータをスイープさせて、前記伝送信号品質を測定することにより、前記受信パラメータの最良値を決定する、
請求項３に記載の高速信号伝送システム。
【請求項５】
他の高速信号伝送装置からの信号を受信し、前記他の高速信号伝送装置に信号を送信する高速信号伝送装置において実施される高速信号伝送方法であって、
前記高速信号伝送装置は、伝送チャンネル毎に、
前記他の高速信号伝送装置に対して、当該他の高速信号伝送装置の送信パラメータをインクリメント又はデクリメントする送信パラメータ変更要求を送信し、
前記他の高速信号伝送装置の送信パラメータがインクリメント又はデクリメントされる度に、受信パラメータをスイープさせて、伝送信号品質を測定し、
測定した前記伝送信号品質が最良値となる際の、前記他の高速信号伝送装置の送信パラメータを前記他の高速信号伝送装置の送信パラメータの最良値と決定し、
測定した前記伝送信号品質が最良値となる際の前記受信パラメータを前記受信パラメータの最良値と決定して、前記受信パラメータを前記受信パラメータの最良値に設定し、
前記他の高速信号伝送装置に対して、当該他の高速信号伝送装置の送信パラメータを前記他の高速信号伝送装置の送信パラメータの最良値に設定するための送信パラメータ変更要求を送信する、高速信号伝送方法。
【請求項６】
前記高速信号伝送装置は、伝送チャンネル毎に、
前記他の高速信号伝送装置の送信パラメータが初期設定値に固定された状態で、前記受信パラメータをスイープさせて、前記伝送信号品質を測定することにより、前記受信パラメータの仮の最良値を決定し、
前記受信パラメータを前記仮の最良値に固定した状態で、前記他の高速信号伝送装置の送信パラメータがインクリメント又はデクリメントされる度に、前記伝送信号品質を測定することにより、前記他の高速信号伝送装置の送信パラメータの最良値を決定し、
前記他の高速信号伝送装置の送信パラメータが前記他の高速信号伝送装置の送信パラメータの最良値に固定された状態で、前記受信パラメータをスイープさせて、前記伝送信号品質を測定することにより、前記受信パラメータの最良値を決定する、
請求項５に記載の高速信号伝送方法。
【請求項７】
複数の高速信号伝送装置が通信可能に接続される高速信号伝送システムにおいて、前記高速信号伝送装置において実施される高速信号伝送方法であって、
前記高速信号伝送装置は、伝送チャンネル毎に、
他の高速信号伝送装置に対して、当該他の高速信号伝送装置の送信パラメータをインクリメント又はデクリメントする送信パラメータ変更要求を送信し、
前記他の高速信号伝送装置の送信パラメータがインクリメント又はデクリメントされる度に、受信パラメータをスイープさせて、伝送信号品質を測定し、
測定した前記伝送信号品質が最良値となる際の、前記他の高速信号伝送装置の送信パラメータを前記他の高速信号伝送装置の送信パラメータの最良値と決定し、
測定した前記伝送信号品質が最良値となる際の前記受信パラメータを前記受信パラメータの最良値と決定して、前記受信パラメータを前記受信パラメータの最良値に設定し、
前記他の高速信号伝送装置に対して、当該他の高速信号伝送装置の送信パラメータを前記他の高速信号伝送装置の送信パラメータの最良値に設定するための送信パラメータ変更要求を送信する、高速信号伝送方法。
【請求項８】
前記高速信号伝送装置は、伝送チャンネル毎に、
前記他の高速信号伝送装置の送信パラメータが初期設定値に固定された状態で、前記受信パラメータをスイープさせて、前記伝送信号品質を測定することにより、前記受信パラメータの仮の最良値を決定し、
前記受信パラメータを前記仮の最良値に固定した状態で、前記他の高速信号伝送装置の送信パラメータがインクリメント又はデクリメントされる度に、前記伝送信号品質を測定することにより、前記他の高速信号伝送装置の送信パラメータの最良値を決定し、
前記他の高速信号伝送装置の送信パラメータが前記他の高速信号伝送装置の送信パラメータの最良値に固定された状態で、前記受信パラメータをスイープさせて、前記伝送信号品質を測定することにより、前記受信パラメータの最良値を決定する、
請求項７に記載の高速信号伝送方法。
【請求項９】
他の高速信号伝送装置からの信号を受信し、前記他の高速信号伝送装置に信号を送信する高速信号伝送装置に、伝送チャンネル毎に、
前記他の高速信号伝送装置に対して、当該他の高速信号伝送装置の送信パラメータをインクリメント又はデクリメントする送信パラメータ変更要求を送信する処理と、
前記他の高速信号伝送装置の送信パラメータがインクリメント又はデクリメントされる度に、受信パラメータをスイープさせて、伝送信号品質を測定する処理と、
測定した前記伝送信号品質が最良値となる際の、前記他の高速信号伝送装置の送信パラメータを前記他の高速信号伝送装置の送信パラメータの最良値と決定する処理と、
測定した前記伝送信号品質が最良値となる際の前記受信パラメータを前記受信パラメータの最良値と決定して、前記受信パラメータを前記受信パラメータの最良値に設定する処理と、
前記他の高速信号伝送装置に対して、当該他の高速信号伝送装置の送信パラメータを前記他の高速信号伝送装置の送信パラメータの最良値に設定するための送信パラメータ変更要求を送信する処理と、を実行させるプログラム。
【請求項１０】
前記高速信号伝送装置に、伝送チャンネル毎に、
前記他の高速信号伝送装置の送信パラメータが初期設定値に固定された状態で、前記受信パラメータをスイープさせて、前記伝送信号品質を測定することにより、前記受信パラメータの仮の最良値を決定する処理と、
前記受信パラメータを前記仮の最良値に固定した状態で、前記他の高速信号伝送装置の送信パラメータがインクリメント又はデクリメントされる度に、前記伝送信号品質を測定することにより、前記他の高速信号伝送装置の送信パラメータの最良値を決定する処理と、
前記他の高速信号伝送装置の送信パラメータが前記他の高速信号伝送装置の送信パラメータの最良値に固定された状態で、前記受信パラメータをスイープさせて、前記伝送信号品質を測定することにより、前記受信パラメータの最良値を決定する処理と、
を実行させる、請求項９に記載のプログラム。
【発明の詳細な説明】
【技術分野】
【０００１】
本発明は、高速信号伝送装置、高速信号伝送システム、高速信号伝送方法、及び、プログラムに関する。
【背景技術】
【０００２】
近年、高速信号伝送装置の分野において、伝送レートの高速化かつ大容量転送が主流となっている。各伝送チャンネルの高速信号について伝送装置においてパラメータ調整が必要であるが、伝送レートの高速化かつ大容量転送によって、当該パラメータ調整の工数の増大が懸念されている。具体的には、伝送チャンネル毎にパラメータの調整が必要となる。また、伝送路上に変更があった等の場合、その度にパラメータの調整をやり直す必要がある。
【０００３】
また、全ての伝送装置及び複数のチャンネルの各々について、高速で伝送される信号の調整を行うためには、莫大な工数が必要となる。
そのため、複数のチャンネルの高速信号のために伝送装置間で複数の配線が形成される場合、当該複数の配線についてパラメータが一意的に決定される。その結果、伝送装置に搭載されるデバイスや基板のバラツキによって、伝送特性に影響が発生してしまう場合がある。
【０００４】
また、上述したように、全ての伝送装置の各々についてパラメータの調整を行うと、莫大な工数が必要となる。そのため、通常、送信側又は受信側の伝送装置のパラメータを固定し、他方の伝送装置においてパラメータを調整する。その結果、調整されたパラメータが、伝送装置間において最適なパラメータとはなっていない場合がある。
【０００５】
特許文献１には、大容量通信装置のプリント基板間の送信回路・受信回路が、配線に関して同じ条件で対称であることに着目し、受信回路にて検知可能な、配線による高周波成分の減衰率を、物理的に隣接して配置された送信回路の送信等化量の調整に用いることが記載されている。また、特許文献１には、上記の調整手順を一連の装置初期設定手順に組み込み、個々のパターン配線に対する最適な等化量を自動的に検出・設定することが記載されている。これにより、人手を介した設定を省略することができる。
【先行技術文献】
【特許文献】
【０００６】
【特許文献１】特開２００４−０１５６２２号公報
【発明の概要】
【発明が解決しようとする課題】
【０００７】
しかしながら、特許文献１に記載の調整方法では、伝送チャンネル毎にパラメータを調整しないため、パラメータ調整の工数の増大を解消することは難しい。また、伝送装置の送信回路と受信回路とが配線に関して対称であったとしても、各回路のバラツキやコネクタ等の接触等によって伝送特性に影響する可能性がある。
【０００８】
本発明の目的は、調整工数を低減することができるとともに、信号品質をより向上することができる高速信号伝送装置、高速信号伝送システム、高速信号伝送方法、及び、プログラムを提供することである。
【課題を解決するための手段】
【０００９】
本発明の第１の態様に係る高速信号伝送装置は、他の高速信号伝送装置からの信号を受信する受信回路部と、前記他の高速信号伝送装置に信号を送信する送信回路部と、を伝送チャンネル毎に備え、前記送信回路部は、前記他の高速信号伝送装置に対して、当該他の高速信号伝送装置の送信パラメータをインクリメント又はデクリメントする送信パラメータ変更要求を送信し、前記受信回路部は、前記他の高速信号伝送装置の送信パラメータがインクリメント又はデクリメントされる度に、受信パラメータをスイープさせて、伝送信号品質を測定し、測定した前記伝送信号品質が最良値となる際の、前記他の高速信号伝送装置の送信パラメータを前記他の高速信号伝送装置の送信パラメータの最良値と決定し、測定した前記伝送信号品質が最良値となる際の前記受信パラメータを前記受信パラメータの最良値と決定して、前記受信パラメータを前記受信パラメータの最良値に設定し、前記送信回路部は、前記他の高速信号伝送装置に対して、当該他の高速信号伝送装置の送信パラメータを前記他の高速信号伝送装置の送信パラメータの最良値に設定するための送信パラメータ変更要求を送信する。
【００１０】
本発明の第２の態様に係る高速信号伝送システムは、複数の高速信号伝送装置が通信可能に接続される高速信号伝送システムであって、前記高速信号伝送装置は、他の高速信号伝送装置からの信号を受信する受信回路部と、前記他の高速信号伝送装置に信号を送信する送信回路部と、を伝送チャンネル毎に備え、前記送信回路部は、前記他の高速信号伝送装置に対して、当該他の高速信号伝送装置の送信パラメータをインクリメント又はデクリメントする送信パラメータ変更要求を送信し、前記受信回路部は、前記他の高速信号伝送装置の送信パラメータがインクリメント又はデクリメントされる度に、受信パラメータをスイープさせて、伝送信号品質を測定し、測定した前記伝送信号品質が最良値となる際の、前記他の高速信号伝送装置の送信パラメータを前記他の高速信号伝送装置の送信パラメータの最良値と決定し、測定した前記伝送信号品質が最良値となる際の前記受信パラメータを前記受信パラメータの最良値と決定して、前記受信パラメータを前記受信パラメータの最良値に設定し、前記送信回路部は、前記他の高速信号伝送装置に対して、当該他の高速信号伝送装置の送信パラメータを前記他の高速信号伝送装置の送信パラメータの最良値に設定するための送信パラメータ変更要求を送信する。
【００１１】
本発明の第３の態様に係る高速信号伝送方法は、他の高速信号伝送装置からの信号を受信し、前記他の高速信号伝送装置に信号を送信する高速信号伝送装置において実施される高速信号伝送方法であって、前記高速信号伝送装置は、伝送チャンネル毎に、前記他の高速信号伝送装置に対して、当該他の高速信号伝送装置の送信パラメータをインクリメント又はデクリメントする送信パラメータ変更要求を送信し、前記他の高速信号伝送装置の送信パラメータがインクリメント又はデクリメントされる度に、受信パラメータをスイープさせて、伝送信号品質を測定し、測定した前記伝送信号品質が最良値となる際の、前記他の高速信号伝送装置の送信パラメータを前記他の高速信号伝送装置の送信パラメータの最良値と決定し、測定した前記伝送信号品質が最良値となる際の前記受信パラメータを前記受信パラメータの最良値と決定して、前記受信パラメータを前記受信パラメータの最良値に設定し、前記他の高速信号伝送装置に対して、当該他の高速信号伝送装置の送信パラメータを前記他の高速信号伝送装置の送信パラメータの最良値に設定するための送信パラメータ変更要求を送信する。
【００１２】
本発明の第４の態様に係る高速信号伝送方法は、複数の高速信号伝送装置が通信可能に接続される高速信号伝送システムにおいて、前記高速信号伝送装置において実施される高速信号伝送方法であって、前記高速信号伝送装置は、伝送チャンネル毎に、他の高速信号伝送装置に対して、当該他の高速信号伝送装置の送信パラメータをインクリメント又はデクリメントする送信パラメータ変更要求を送信し、前記他の高速信号伝送装置の送信パラメータがインクリメント又はデクリメントされる度に、受信パラメータをスイープさせて、伝送信号品質を測定し、測定した前記伝送信号品質が最良値となる際の、前記他の高速信号伝送装置の送信パラメータを前記他の高速信号伝送装置の送信パラメータの最良値と決定し、測定した前記伝送信号品質が最良値となる際の前記受信パラメータを前記受信パラメータの最良値と決定して、前記受信パラメータを前記受信パラメータの最良値に設定し、前記他の高速信号伝送装置に対して、当該他の高速信号伝送装置の送信パラメータを前記他の高速信号伝送装置の送信パラメータの最良値に設定するための送信パラメータ変更要求を送信する。
【００１３】
本発明の第５の態様に係るプログラムは、他の高速信号伝送装置からの信号を受信し、前記他の高速信号伝送装置に信号を送信する高速信号伝送装置に、伝送チャンネル毎に、前記他の高速信号伝送装置に対して、当該他の高速信号伝送装置の送信パラメータをインクリメント又はデクリメントする送信パラメータ変更要求を送信する処理と、前記他の高速信号伝送装置の送信パラメータがインクリメント又はデクリメントされる度に、受信パラメータをスイープさせて、伝送信号品質を測定する処理と、測定した前記伝送信号品質が最良値となる際の、前記他の高速信号伝送装置の送信パラメータを前記他の高速信号伝送装置の送信パラメータの最良値と決定する処理と、測定した前記伝送信号品質が最良値となる際の前記受信パラメータを前記受信パラメータの最良値と決定して、前記受信パラメータを前記受信パラメータの最良値に設定する処理と、前記他の高速信号伝送装置に対して、当該他の高速信号伝送装置の送信パラメータを前記他の高速信号伝送装置の送信パラメータの最良値に設定するための送信パラメータ変更要求を送信する処理と、を実行させる。
【発明の効果】
【００１４】
調整工数を低減することができるとともに、信号品質をより向上することができる高速信号伝送装置、高速信号伝送システム、高速信号伝送方法、及び、プログラムを提供することができる。
【図面の簡単な説明】
【００１５】
【図１】本発明の実施の形態に係る高速信号伝送装置の構成の一例を示すブロック図である。
【図２】本発明の実施の形態１に係る高速信号伝送システムの構成の一例を示すブロック図である。
【図３】本発明の実施の形態１に係る受信側の高速信号伝送装置における高速信号伝送方法の一例を示すフローチャートである。
【図４】本発明の実施の形態１に係る送信側の高速信号伝送装置における高速信号伝送方法の一例を示すフローチャートである。
【図５】本発明の実施の形態１に係る高速信号伝送方法を実施する際のデータフローを説明する図である。
【図６】本発明の実施の形態１に係る高速信号伝送方法を実施する際の各設定パラメータと伝送路の状態とを示すタイムチャートである。
【図７】本発明の実施の形態２に係るパラメータ変更を要求する側の高速信号伝送装置における高速信号伝送方法の一例を示すフローチャートである。
【図８】本発明の実施の形態２に係るパラメータ変更の要求を受ける側の高速信号伝送装置における高速信号伝送方法の一例を示すフローチャートである。
【図９】本発明の実施の形態２に係る高速信号伝送方法を実施する際の各設定パラメータと伝送路の状態とを示すタイムチャートである。
【図１０】本発明の実施の形態３に係る受信側の高速信号伝送装置における高速信号伝送方法の一例を示すフローチャートである。
【図１１】本発明の実施の形態３に係る高速信号伝送方法を実施する際の各設定パラメータと伝送路の状態とを示すタイムチャートである。
【発明を実施するための形態】
【００１６】
以下、図面を参照して本発明の実施の形態について説明する。
図１は、本発明の実施の形態に係る高速信号伝送装置２００の構成の一例を示すブロック図である。また、本発明の実施の形態に係る高速信号伝送装置２００は、他の高速信号伝送装置（図示省略）と通信可能に接続されている。
また、図１に示すように、高速信号伝送装置２００は、他の高速信号伝送装置に信号を送信する送信回路部２１０と、他の高速信号伝送装置からの信号を受信する受信回路部２２０と、を伝送チャンネル毎に備える。
【００１７】
送信回路部２１０は、他の高速信号伝送装置に対して、当該他の高速信号伝送装置の送信パラメータをインクリメント又はデクリメントする送信パラメータ変更要求を送信する。
【００１８】
受信回路部２２０は、他の高速信号伝送装置の送信パラメータがインクリメント又はデクリメントされる度に、受信パラメータをスイープさせて、伝送信号品質を測定する。
また、受信回路部２２０は、測定した伝送信号品質が最良値となる際の、他の高速信号伝送装置の送信パラメータを当該他の高速信号伝送装置の送信パラメータの最良値と決定する。
また、受信回路部２２０は、伝送信号品質が最良値となる際の受信パラメータを高速信号伝送装置２００の受信パラメータの最良値と決定して、高速信号伝送装置２００の受信パラメータを当該受信パラメータの最良値に設定する。
【００１９】
また、送信回路部２１０は、他の高速信号伝送装置に対して、当該他の高速信号伝送装置の送信パラメータを上記送信パラメータの最良値に設定するための送信パラメータ変更要求を送信する。
【００２０】
以上に説明した本発明の実施の形態に係る高速信号伝送装置２００によれば、高速信号伝送装置２００の受信パラメータの最良値を決定すると同時に、他の高速信号伝送装置の送信パラメータの最良値も決定される。すなわち、高速信号伝送装置２００と他の高速信号伝送装置の双方のパラメータを同時に調整することができる。そのため、全ての高速信号伝送装置の各々について個別にパラメータの調整を行う場合に比べて、調整工数を低減することができる。
【００２１】
また、全ての伝送装置の各々についてパラメータの調整を行うと、莫大な工数が必要となるため、送信側又は受信側の伝送装置のパラメータを固定し、他方の伝送装置においてパラメータを調整する。その結果、調整されたパラメータが、伝送装置間において最適なパラメータとはなっていない場合がある。しかし、本実施の形態に係る高速信号伝送装置２００によれば、他の高速信号伝送装置の送信パラメータをインクリメント又はデクリメントさせつつ、高速信号伝送装置２００の受信パラメータをスイープさせる。そのため、調整されたパラメータが、伝送装置間において最適なパラメータとはならない不具合を回避することができる。
【００２２】
また、伝送チャンネル毎に、自動で、上記調整が行われる。すなわち、高速信号伝送装置間に伝送チャンネル毎に複数の配線が形成されても、伝送チャンネル毎に、当該複数の配線も加味した受信パラメータ及び送信パラメータが決定される。そのため、当該複数の配線についてのパラメータが一意的に決定される場合に比べて、信号品質をより向上することができる。
【００２３】
よって、本発明の実施の形態に係る高速信号伝送装置２００によれば、調整工数を低減することができるとともに、信号品質をより向上することができる。
【００２４】
実施の形態１
図２は、本発明の実施の形態１に係る高速信号伝送システム１００の構成の一例を示すブロック図である。図２に示す例では、本実施の形態１に係る高速信号伝送装置２００と高速信号伝送装置（以下、単に「伝送装置」と称する。）３００と、が通信可能に接続される。伝送装置２００と伝送装置３００とは同じ構成を有する。また、伝送装置２００と伝送装置３００とは、パターン配線伝送路４００及びパターン配線伝送路５００によって接続されている。パターン配線伝送路４００及びパターン配線伝送路５００は、コネクタやバックワイヤドボードを含んでいてもよい。
以下、伝送装置２００の構成について説明する。伝送装置３００の構成は、伝送装置２００と同じであるため、その説明を省略する。
【００２５】
伝送装置２００は、送信回路部２１０、受信回路部２２０、データ保存部２３０等を備える。
【００２６】
送信回路部２１０は、ランダムパターン生成回路２１１、選択回路２１２、送信側等化回路２１３、送信パラメータ設定回路２１４、送信信号制御回路２１５、切替回路２１６等を備える。
【００２７】
ランダムパターン生成回路２１１は、調整用の疑似ランダムパターンを発生させる。
選択回路２１２は、切替回路２１６から入力される選択制御信号に基づいて、送信データ、調整信号等を選択して出力する。
送信側等化回路２１３は、出力アンプ等を備え、エンファシス・デエンファシス等の出力調整を行う。
送信パラメータ設定回路２１４は、送信信号（送信データ、調整信号等）の調整を行うための送信パラメータを設定する。具体的には、送信パラメータ設定回路２１４は、送信側等化回路２１３に対して、エンファシス値やゲイン電圧の調整を行うための設定パラメータを設定する。送信パラメータとは、例えば、信号の波形の振幅調整や周波数調整を行うフィルタのフィルタ定数等である。
送信信号制御回路２１５は、受信側の伝送装置３００からの変更要求を受けて送信パラメータの変更要求を行う。
切替回路２１６は、送信データ、調整信号等を選択するための選択制御信号を選択回路２１２に入力する。
【００２８】
受信回路部２２０は、受信側等化回路２２１、受信パラメータ設定回路２２２、受信信号制御回路２２３、受信信号識別回路２２４、制御データ抽出回路２２５等を備える。
【００２９】
受信側等化回路２２１は、受信信号（受信データ、調整信号等）の等化調整を行う。
受信パラメータ設定回路２２２は、受信信号の調整を行うための受信パラメータを設定する。受信パラメータとは、例えば、伝送路によって減衰したデータの高周波成分を増幅させるためのアンプのゲイン調整や強調したい周波数(帯)に関するパラメータ等である。
受信信号制御回路２２３は、受信側の伝送装置３００における調整パラメータの変更、切り替え等を行う。
受信信号識別回路２２４は、受信信号の等化調整後の誤り率を算出する。
制御データ抽出回路２２５は、受信データから送信回路部２１０や受信回路部２２０に対する制御データを抽出する。
【００３０】
データ保存部２３０は、送信回路部２１０及び受信回路部２２０におけるパラメータデータ、伝送信号品質の値等を保存する。例えば、データ保存部２３０は、信号補正のトレーニング処理において、受信パラメータの値と、伝送信号品質の値と、伝送相手である伝送装置３００における送信パラメータの値とを対応付けて保存する。
【００３１】
図２では、説明便宜上、送信及び受信のチャンネルが１つである例を示しているが、伝送装置３００と伝送装置３００との間で、複数のチャンネルの伝送が行われている場合には、伝送装置２００，３００に、送信回路部２１０，３１０及び受信回路部２２０，３２０が、複数のチャンネル毎に独立して設けられている。
【００３２】
次に、図３乃至図５を参照しながら、本実施の形態１に係る高速信号伝送方法について説明する。図３は、受信側の伝送装置３００における処理を説明するフローチャートである。また、図４は、送信側の伝送装置２００における処理を説明するフローチャートである。また、図５は、本実施の形態１に係る伝送装置２００，３００におけるデータフローを説明する図である。図５において、伝送装置２００，３００のいくつかの構成は、説明便宜上、省略している。
【００３３】
まず、図３に示すように、送信側の伝送装置２００の送信回路部２１０から調整用の疑似ランダムパターンが入力されると、伝送装置３００において信号補正のトレーニングが開始される（ステップＳ１０１）。
【００３４】
次に、伝送装置３００の受信パラメータ設定回路３２２は、受信側等化回路３２１の受信パラメータの初期化を行う（ステップＳ１０２）。
【００３５】
次に、伝送装置３００は、伝送装置２００からの受信信号を検出したか否かを判断する（ステップＳ１０３）。ここで、受信信号とは、特に限定されるものではないが、伝送装置２００と伝送装置３００との間で送受信される信号フォーマットや、送信側の伝送装置２００が送出していうパイロット信号等の調整信号を含む。図３においては、受信信号は、調整用の疑似ランダムパターンである。調整用の疑似ランダムパターンは、ＰＮ１１やＰＮ２３等のパターンである。
【００３６】
ステップＳ１０３において、伝送装置２００からの受信信号を検出しなかった場合（ステップＳ１０３；Ｎｏ）、伝送装置３００は、ステップＳ１０３の処理を繰り返す。
【００３７】
ステップＳ１０３において、伝送装置２００からの受信信号を検出した場合（ステップＳ１０３；Ｙｅｓ）、受信信号識別回路３２４が、当該受信信号に基づいて、伝送信号品質を測定し、算出する（ステップＳ１０４）。なお、伝送信号品質の値は、誤り率（ＢＥＲ）やアイパターン開口率等が挙げられるが、本発明では、伝送信号品質の値は、これらに限定されない。
【００３８】
次に、伝送装置３００は、ステップＳ１０２又は後述するステップＳ１０６において設定された受信パラメータの値とステップＳ１０４において測定し算出された伝送信号品質の値と後述するステップＳ１１０において受信した伝送装置２００における送信パラメータの値とを対応付けてデータ保存部３３０に格納する（ステップＳ１０５）。
【００３９】
次に、受信信号制御回路３２３は、受信側等化回路３２１の受信パラメータをインクリメント又はデクリメントするための制御信号を受信パラメータ設定回路３２２に入力する。次いで、受信パラメータ設定回路３２２は、当該制御信号に従って受信パラメータを変更する（ステップＳ１０６）。
【００４０】
次に、受信信号制御回路３２３は、ステップＳ１０６において設定した受信パラメータの値が所定の限界値（後述する図６ではＭ）に達したか否かを判断する（ステップＳ１０７）。
【００４１】
ステップＳ１０７において、ステップＳ１０６において設定した受信パラメータの値が所定の限界値に達していない場合（ステップＳ１０７；Ｎｏ）、ステップＳ１０３へ戻る。
【００４２】
ステップＳ１０７において、ステップＳ１０６において設定した受信パラメータの値が所定の限界値に達している場合（ステップＳ１０７；Ｙｅｓ）、受信側の伝送装置３００における当該受信パラメータのスイープが完了している。そのため、受信信号制御回路３２３は、送信側の伝送装置２００の送信パラメータが所定の限界値（後述する図６ではＮ）に達しているか否かを判断する（ステップＳ１０８）。なお、伝送装置２００の送信パラメータの値は、後述する図４に示すステップＳ２０７の処理において、伝送装置２００から伝送装置３００へ送信されている。
【００４３】
ステップＳ１０８において、送信側の伝送装置２００の送信パラメータが所定の限界値に達していない場合（ステップＳ１０８；Ｎｏ）、伝送装置３００の送信回路部３１０は、パターン配線伝送路５００を介して、送信パラメータ変更要求を、送信側の伝送装置２００に送信し（ステップＳ１０９）、後述する図４に示すステップＳ２０３へ進む。なお、伝送装置３００から伝送装置２００への通知方法は、伝送装置２００の受信回路部２２０で認識可能な方法であれば、特に限定されない。
【００４４】
次に、伝送装置３００は、伝送装置２００から、送信パラメータ変更完了通知を受信したか否かを判断する（ステップＳ１１０）。なお、当該送信パラメータ変更完了通知は、後述する図４に示すステップＳ２０７の処理において、伝送装置２００から伝送装置３００へ送信されている。
【００４５】
ステップＳ１１０において、伝送装置２００から、送信パラメータ変更完了通知を受信していない場合（ステップＳ１１０；Ｎｏ）、伝送装置３００は、ステップＳ１１０の処理を繰り返す。
【００４６】
ステップＳ１１０において、伝送装置２００から、送信パラメータ変更完了通知を受信した場合（ステップＳ１１０；Ｙｅｓ）、伝送装置３００は、ステップＳ１０２へ戻る。
【００４７】
ステップＳ１０８において、送信側の伝送装置２００の送信パラメータが所定の限界値に達している場合（ステップＳ１０８；Ｙｅｓ）、送信側の伝送装置２００における当該送信パラメータの変更及び設定が完了している。そのため、伝送装置３００の受信信号制御回路３２３は、受信側等化回路３２１の受信パラメータを、これまでの処理において測定した受信パラメータの測定値の中の最良値に設定するための制御信号を受信パラメータ設定回路３２２に入力する。具体的には、受信信号制御回路３２３は、データ保存部３３０に格納されている伝送信号品質の値から、最良の伝送信号品質の値を抽出し、当該最良の伝送信号品質の値と対応付けられた受信パラメータの値を、受信パラメータの最良値として選択する。次いで、受信パラメータ設定回路３２２は、当該制御信号に従って受信パラメータを変更する（ステップＳ１１１）。
【００４８】
次に、受信側の伝送装置３００の送信回路部３１０は、パターン配線伝送路５００を介して、送信側の伝送装置２００の送信パラメータを最良値に設定するための送信パラメータ変更要求を、送信側の伝送装置２００に送信し（ステップＳ１１２）、後述する図４に示すステップＳ２０３へ進む。具体的には、送信信号制御回路３１５は、データ保存部３３０に格納されている伝送信号品質の値から、最良の伝送信号品質の値を抽出し、当該最良の伝送信号品質の値と対応付けられた送信パラメータの値を、上記送信パラメータの最良値として選択し、送信回路部３１０に入力する。なお、伝送装置３００から伝送装置２００への通知方法は、伝送装置２００の受信回路部２２０で認識可能な方法であれば、特に限定されない。
【００４９】
次に、伝送装置３００は、伝送装置２００から、送信パラメータ変更完了通知を受信したか否かを判断する（ステップＳ１１３）。
【００５０】
ステップＳ１１３において、伝送装置２００から、送信パラメータ変更完了通知を受信していない場合（ステップＳ１１３；Ｎｏ）、伝送装置３００は、ステップＳ１１３の処理を繰り返す。
【００５１】
ステップＳ１１３において、伝送装置２００から、送信パラメータ変更完了通知を受信した場合（ステップＳ１１３；Ｙｅｓ）、伝送装置３００の送信回路部３１０は、パターン配線伝送路５００を介して、変更完了通知（図６に示す「調整の完了」）を、送信側の伝送装置２００に送信し（ステップＳ１１４）、後述する図４に示すステップＳ２０４の処理へ進み、本処理を終了する。
【００５２】
次に、図４を参照しながら、送信側の伝送装置２００における処理を説明する。
まず、伝送装置２００の送信パラメータ設定回路２１４は、送信側等化回路２１３の送信パラメータの初期化を行う（ステップＳ２０１）。
【００５３】
次に、伝送装置２００の送信回路部２１０は、送信側等化回路２１３からパターン配線伝送路４００を介して伝送装置３００の受信回路部３２０へ調整用の疑似ランダムパターンを送信する（ステップＳ２０２）。
【００５４】
次に、伝送装置２００は、受信側の伝送装置３００の送信回路部３１０からの送信パラメータ変更要求を受信したか否かを判断する（ステップＳ２０３）。なお、当該送信パラメータ変更要求は、図３に示すステップＳ１０９の処理及びステップＳ１１２の処理の何れかにおいて、伝送装置２００から伝送装置３００へ送信されている。
【００５５】
ステップＳ２０３において、受信側の伝送装置３００の送信回路部３１０から送信パラメータ変更要求を受信していない場合（ステップＳ２０３；Ｎｏ）、伝送装置２００は、ステップＳ２０２へ戻る。
【００５６】
ステップＳ２０３において、受信側の伝送装置３００の送信回路部３１０から送信パラメータ変更要求を受信した場合（ステップＳ２０３；Ｙｅｓ）、伝送装置２００は、受信側の伝送装置３００の送信回路部３１０からの変更完了通知を受信したか否かを判断する（ステップＳ２０４）。なお、当該送信パラメータ変更要求は、図３に示すステップＳ１１４の処理において、伝送装置２００から伝送装置３００へ送信されている。
【００５７】
ステップＳ２０４において、受信側の伝送装置３００の送信回路部３１０から変更完了通知を受信していない場合（ステップＳ２０４；Ｎｏ）、伝送装置２００の制御データ抽出回路２２５は、伝送装置３００から送信された信号から、当該送信パラメータ変更要求を抽出し、抽出した送信パラメータ変更要求を送信信号制御回路２１５に入力する。次いで、送信信号制御回路２１５は、等化回路２１３の送信パラメータを変更するための制御信号を送信パラメータ設定回路２１４に入力する。具体的には、送信信号制御回路２１５は、当該送信パラメータをインクリメント又はデクリメントするための制御信号を送信パラメータ設定回路２１４に入力する。次いで、送信パラメータ設定回路２１４は、当該制御信号に従って送信パラメータを変更する（ステップＳ２０５）。
【００５８】
次に、伝送装置２００の送信回路部２１０は、伝送装置３００の受信回路部３２０への調整用の疑似ランダムパターンの送信を停止する（ステップＳ２０６）。
【００５９】
次に、伝送装置２００の送信回路部２１０は、ステップＳ２０５において変更された送信パラメータの値と、送信パラメータ変更完了通知とを、受信側の伝送装置３００の受信回路部３２０へ送信し（ステップＳ２０７）、ステップＳ２０２へ進む。なお、伝送装置２００から伝送装置３００への通知方法は、伝送装置３００の受信回路部３２０で認識可能な方法であれば、特に限定されない。
【００６０】
ステップＳ２０４において、受信側の伝送装置３００の送信回路部３１０から変更完了通知を受信した場合（ステップＳ２０４；Ｙｅｓ）、伝送装置２００の送信回路部２１０は、伝送装置３００の受信回路部３２０への調整用の疑似ランダムパターンの送信を停止し（ステップＳ２０６）、本処理を終了する。
【００６１】
次に、図６を参照しながら、本実施の形態１に係る伝送装置２００，３００において高速信号を調整する際の受信パラメータ及び送信パラメータの状態とパターン配線伝送路４００，５００の状態とについて説明する。なお、図６において、送信パラメータの設定範囲を１以上Ｎ以下とし（Ｎは、正の整数）、受信パラメータの設定範囲を１以上Ｍ以下とする（Ｍは、正の整数）。本実施の形態１では、図６に示すように、伝送信号品質の測定及び算出処理（ステップＳ１０４の処理）がＮ×Ｍ回実施される。また、送信パラメータの最良値をＮｘとし、受信パラメータの最良値をＭｘとする。ここで、送信パラメータの最良値Ｎｘ及び受信パラメータの最良値Ｍｘは、伝送装置２００と伝送装置３００との間の伝送信号品質が最も良くなる送信パラメータの値及び受信パラメータの値である。
【００６２】
図６に示すように、図３及び図４のフローチャートに示す処理の順番に従って、送信パラメータ及び受信パラメータが変更される。具体的には、図４に示すステップＳ２０５において送信パラメータが変更される度に、伝送装置２００からパターン配線伝送路４００を介して伝送装置３００へ送信パラメータ変更完了通知が送信される。また、図３に示すステップＳ１０９及びステップＳ１１２のタイミングで、伝送装置３００からパターン配線伝送路５００を介して伝送装置２００へ送信パラメータ変更要求が送信される。当該送信パラメータ変更完了通知や送信パラメータ変更要求のパターンフォーマットは特に限定されるものではなく、伝送装置２００の受信回路部２２０及び伝送装置３００の受信回路部３２０において認識可能なものであればよい。
【００６３】
以上に説明した実施の形態１に係る高速信号伝送システム１００、高速信号伝送装置２００，３００、高速信号伝送方法、及び、プログラムによれば、高速信号伝送装置２００の受信パラメータの最良値を決定すると同時に、他の高速信号伝送装置３００の送信パラメータの最良値も決定される。すなわち、高速信号伝送装置２００と他の高速信号伝送装置３００の双方のパラメータを同時に調整することができる。そのため、高速信号伝送装置２００，３００の各々について個別にパラメータの調整を行う場合に比べて、調整工数を低減することができる。
【００６４】
また、全ての伝送装置の各々についてパラメータの調整を行うと、莫大な工数が必要となるため、通常、送信側又は受信側の伝送装置のパラメータを固定し、他方の伝送装置においてパラメータを調整する。その結果、調整されたパラメータが、伝送装置間において最適なパラメータとはなっていない場合がある。しかし、本実施の形態１では、他の高速信号伝送装置３００の送信パラメータをインクリメント又はデクリメントさせつつ、高速信号伝送装置２００の受信パラメータをスイープさせる。そのため、調整されたパラメータが、伝送装置間において最適なパラメータとはならない不具合を回避することができる。
【００６５】
また、伝送チャンネル毎に、自動で、上記調整が行われる。すなわち、高速信号伝送装置２００，３００間に伝送チャンネル毎に複数のパターン配線伝送路４００，５００が形成されても、伝送チャンネル毎に、当該複数のパターン配線伝送路４００，５００も加味した受信パラメータ及び送信パラメータが決定される。そのため、当該複数のパターン配線伝送路４００，５００についてのパラメータが一意的に決定される場合に比べて、信号品質をより向上することができる。
【００６６】
よって、本発明の実施の形態１に係る高速信号伝送システム１００、高速信号伝送装置２００，３００、高速信号伝送方法、及び、プログラムによれば、調整工数を低減することができるとともに、信号品質をより向上することができる。
【００６７】
また、高速信号伝送装置２００，３００は、主信号の送信及び受信に用いられるパターン配線伝送路４００，５００を用いて、信号補正のトレーニングのための各種信号（調整用の疑似ランダムパターン、送信パラメータ変更要求、送信パラメータ変更完了通知）を送受信することができる。そのため、高速信号伝送装置２００，３００間に信号補正のトレーニングのための専用の制御配線を設けずに済む。
【００６８】
実施の形態２
本発明の実施の形態２に係る高速信号伝送システム及び高速信号伝送装置は、実施の形態１に係る高速信号伝送システム１００及び高速信号伝送装置２００，３００と同じであるため、同一の符号を用いるとともに、その説明を省略する。
【００６９】
次に、図７及び図８を参照しながら、本実施の形態２に係る高速信号伝送方法について説明する。本実施の形態２では、伝送装置２００，３００の一方から、他方の伝送装置２００，３００の受信回路部２２０，３２０に調整用の疑似ランダムパターンが入力され、どちらか一方の伝送装置２００，３００が自身の送信回路部２１０，３１０と他方の伝送装置２００，３００に対して送信パラメータの変更を要求する。これにより、送信側の伝送装置２００，３００及び受信側の伝送装置２００，３００の双方において、高速信号ラインを同時に調整することができ、調整時間のさらなる短縮を図ることができる。
図７は、パラメータ変更を要求する側の伝送装置における処理を説明するフローチャートである。また、図８は、パラメータ変更の要求を受ける側の伝送装置における処理を説明するフローチャートである。図７及び図８では、一例として、図２の伝送装置３００が送信パラメータの変更を要求する側、伝送装置２００が送信パラメータの変更を受ける側とする。
【００７０】
まず、図７に示すように、伝送装置２００の送信回路部２１０から調整用の疑似ランダムパターンが入力されると、伝送装置３００において信号補正のトレーニングが開始される（ステップＳ３０１）。
【００７１】
次に、本実施の形態２においては、伝送装置２００においても信号補正のトレーニングが実施されるため、伝送装置３００の送信パラメータ設定回路３１４は、送信側等化回路３１３の送信パラメータの初期化を行う（ステップＳ３０２）。
【００７２】
次に、伝送装置３００の送信回路部３１０は、送信側等化回路３１３からパターン配線伝送路５００を介して伝送装置２００の受信回路部２２０へ調整用の疑似ランダムパターンを送信する（ステップＳ３０３）。
【００７３】
また、伝送装置３００の受信パラメータ設定回路３２２は、受信側等化回路３２１の受信パラメータの初期化を行う（ステップＳ３０４）。
以下、ステップＳ３０５〜ステップＳ３０８の処理は、図３に示すステップＳ１０３〜ステップＳ１０６と同じであるため、その説明を省略する。
【００７４】
次に、受信信号制御回路３２３は、ステップＳ３０８において設定した受信パラメータの値が所定の限界値（後述する図９ではＭ）に達したか否かを判断する（ステップＳ３０９）。
【００７５】
ステップＳ３０９において、ステップＳ３０８において設定した受信パラメータの値が所定の限界値に達していない場合（ステップＳ３０９；Ｎｏ）、ステップＳ３０５へ戻る。
【００７６】
ステップＳ３０９において、ステップＳ３０８において設定した受信パラメータの値が所定の限界値に達している場合（ステップＳ３０９；Ｙｅｓ）、受信側の伝送装置３００における当該受信パラメータのスイープが完了している。そのため、送信パラメータ変更要求を伝送装置２００に送るため、伝送装置３００の送信回路部３１０は、伝送装置２００の受信回路部２２０への調整用の疑似ランダムパターンの送信を停止する（ステップＳ３１０）。
【００７７】
次に、受信信号制御回路３２３は、送信側の伝送装置２００の送信パラメータが所定の限界値（後述する図９ではＮ）に達しているか否かを判断する（ステップＳ３１１）。なお、伝送装置２００の送信パラメータの値は、後述する図８に示すステップＳ４１４の処理において、伝送装置２００から伝送装置３００へ送信されている。
【００７８】
ステップＳ３１１において、送信側の伝送装置２００の送信パラメータが所定の限界値に達していない場合（ステップＳ３１１；Ｎｏ）、伝送装置３００の送信回路部３１０は、パターン配線伝送路５００を介して、送信パラメータ変更要求を、送信側の伝送装置２００に送信し（ステップＳ３１２）、後述する図８に示すステップＳ４１０へ進む。なお、伝送装置３００から伝送装置２００への通知方法は、伝送装置２００の受信回路部２２０で認識可能な方法であれば、特に限定されない。
【００７９】
次に、伝送装置３００は、伝送装置２００から、送信パラメータ変更完了通知を受信したか否かを判断する（ステップＳ３１３）。
【００８０】
ステップＳ３１３において、伝送装置２００から、送信パラメータ変更完了通知を受信していない場合（ステップＳ３１３；Ｎｏ）、伝送装置３００は、ステップＳ３１３の処理を繰り返す。
【００８１】
ステップＳ３１３において、伝送装置２００から、送信パラメータ変更完了通知を受信した場合（ステップＳ３１３；Ｙｅｓ）、伝送装置３００は、ステップＳ３０３へ戻る。
【００８２】
ステップＳ３１１において、送信側の伝送装置２００の送信パラメータが所定の限界値に達している場合（ステップＳ３１１；Ｙｅｓ）、送信側の伝送装置２００における当該送信パラメータの変更及び設定が完了している。そのため、伝送装置３００の送信回路部３１０は、パターン配線伝送路５００を介して、測定停止要求（図９に示す「調整の完了」）を、伝送装置２００に送信する（ステップＳ３１４）。
【００８３】
また、伝送装置３００の受信信号制御回路３２３は、受信側等化回路３２１の受信パラメータを、これまでの処理において測定した受信パラメータの測定値の中の最良値に設定するための制御信号を受信パラメータ設定回路３２２に入力する。具体的には、受信信号制御回路３２３は、データ保存部３３０に格納されている伝送信号品質の値から、最良の伝送信号品質の値を抽出し、当該最良の伝送信号品質の値と対応付けられた受信パラメータの値を、受信パラメータの最良値として選択する。次いで、受信パラメータ設定回路３２２は、当該制御信号に従って受信パラメータを変更する（ステップＳ３１５）。
【００８４】
次に、伝送装置３００の送信回路部３１０は、パターン配線伝送路５００を介して、送信パラメータを最良値に設定するための送信パラメータ変更要求を、伝送装置２００に送信し（ステップＳ３１６）、後述する図８に示すステップＳ４１８へ進む。具体的には、送信信号制御回路３１５は、データ保存部３３０に格納されている伝送信号品質の値から、最良の伝送信号品質の値を抽出し、当該最良の伝送信号品質の値と対応付けられた送信パラメータの値を、送信パラメータの最良値として選択し、送信回路部３１０に入力する。なお、伝送装置３００から伝送装置２００への通知方法は、伝送装置２００の受信回路部２２０で認識可能な方法であれば、特に限定されない。
【００８５】
次に、伝送装置３００は、伝送装置２００から、送信パラメータを最良値に設定するための送信パラメータ変更要求を受信したか否かを判断する（ステップＳ３１７）。
【００８６】
ステップＳ３１７において、伝送装置２００から、当該送信パラメータ変更要求を受信していない場合（ステップＳ３１７；Ｎｏ）、伝送装置３００は、ステップＳ３１７の処理を繰り返す。
【００８７】
ステップＳ３１７において、伝送装置２００から、当該送信パラメータ変更要求を受信した場合（ステップＳ３１７；Ｙｅｓ）、伝送装置３００の送信信号制御回路３１５は、送信側等化回路３１３の送信パラメータを最良値に変更するための制御信号を送信パラメータ設定回路３１４に入力する。次いで、送信パラメータ設定回路３１４は、当該制御信号に従って送信パラメータを最良値に変更し（ステップＳ３１８）、本処理を終了する。
【００８８】
次に、図８を参照しながら、送信側の伝送装置２００における処理を説明する。
まず、伝送装置２００の送信パラメータ設定回路２１４は、送信側等化回路２１３の送信パラメータの初期化を行う（ステップＳ４０１）。
【００８９】
次に、伝送装置２００の送信回路部２１０は、送信側等化回路２１３からパターン配線伝送路４００を介して伝送装置３００の受信回路部３２０へ調整用の疑似ランダムパターンを送信する（ステップＳ４０２）。
【００９０】
次に、伝送装置３００の送信回路部３１０から調整用の疑似ランダムパターンが入力されると、伝送装置２００において信号補正のトレーニングが開始される（ステップＳ４０３）。
【００９１】
また、伝送装置２００の受信パラメータ設定回路２２２は、受信側等化回路２２１の受信パラメータの初期化を行う（ステップＳ４０４）。
以下、ステップＳ４０５〜ステップＳ４０８の処理は、図３に示すステップＳ１０３〜ステップＳ１０６の処理と同じであるため、その説明を省略する。
【００９２】
次に、受信信号制御回路２２３は、ステップＳ４０８において設定した受信パラメータの値が所定の限界値（後述する図９ではＭ）に達したか否かを判断する（ステップＳ４０９）。
【００９３】
ステップＳ４０９において、ステップＳ４０８において設定した受信パラメータの値が所定の限界値に達していない場合（ステップＳ４０９；Ｎｏ）、ステップＳ４０５へ戻る。
【００９４】
ステップＳ４０９において、ステップＳ４０８において設定した受信パラメータの値が所定の限界値に達している場合（ステップＳ４０９；Ｙｅｓ）、送信側の伝送装置２００における当該受信パラメータのスイープが完了している。そのため、伝送装置２００は、伝送装置３００から、送信パラメータ変更要求を受信したか否かを判断する（ステップＳ４１０）。なお、当該送信パラメータ変更要求は、図７に示すステップＳ３１２において、伝送装置３００から伝送装置２００へ送信される。
【００９５】
ステップＳ４１０において、伝送装置３００から、当該送信パラメータ変更要求を受信していない場合（ステップＳ４１０；Ｎｏ）、伝送装置２００は、ステップＳ４１０の処理を繰り返す。
【００９６】
ステップＳ４１０において、伝送装置３００から、当該送信パラメータ変更要求を受信した場合（ステップＳ４１０；Ｙｅｓ）、伝送装置２００は、受信側の伝送装置３００の送信回路部３１０からの測定停止要求を受信したか否かを判断する（ステップＳ４１１）。
【００９７】
ステップＳ４１１において、受信側の伝送装置３００の送信回路部３１０から測定停止要求を受信していない場合（ステップＳ４１１；Ｎｏ）、伝送装置２００は、ステップＳ４１２〜ステップＳ４１４の処理を行う。当該ステップＳ４１２〜ステップＳ４１４の処理は、図４に示すステップＳ２０５〜ステップ２０７の処理と同じであるため、その説明を省略する。なお、伝送装置２００において、ステップＳ４０２〜ステップＳ４１４の処理が行われ、伝送装置２００の受信側等化回路２２１の受信パラメータの測定が実施されている間、伝送装置３００の送信パラメータは、伝送装置２００の送信パラメータと同じ値に変更されている。
【００９８】
ステップＳ４１１において、受信側の伝送装置３００の送信回路部３１０から測定停止要求を受信した場合（ステップＳ４１１；Ｙｅｓ）、受信側の伝送装置３００における送信パラメータの変更及び設定が完了している。そのため、伝送装置２００の送信回路部２１０は、伝送装置３００の受信回路部３２０への調整用の疑似ランダムパターンの送信を停止する（ステップＳ４１５）。
【００９９】
次に、伝送装置２００の受信信号制御回路２２３は、受信側等化回路２２１の受信パラメータを、これまでの処理において測定した受信パラメータの測定値の中の最良値に設定するための制御信号を受信パラメータ設定回路２２２に入力する。具体的には、受信信号制御回路２２３は、データ保存部２３０に格納されている伝送信号品質の値から、最良の伝送信号品質の値を抽出し、当該最良の伝送信号品質の値と対応付けられた受信パラメータの値を、受信パラメータの最良値として選択する。次いで、受信パラメータ設定回路２２２は、当該制御信号に従って受信パラメータを変更する（ステップＳ４１６）。
【０１００】
次に、伝送装置２００の送信回路部２１０は、パターン配線伝送路４００を介して、送信パラメータを最良値に設定するための送信パラメータ変更要求を、伝送装置３００に送信し（ステップＳ４１７）、図７に示すステップＳ３１７へ進む。具体的には、送信信号制御回路２１５は、データ保存部２３０に格納されている伝送信号品質の値から、最良の伝送信号品質の値を抽出し、当該最良の伝送信号品質の値と対応付けられた送信パラメータの値を、送信パラメータの最良値として選択し、送信回路部２１０に入力する。なお、伝送装置２００から伝送装置３００への通知方法は、伝送装置３００の受信回路部３２０で認識可能な方法であれば、特に限定されない。
【０１０１】
次に、伝送装置２００は、伝送装置３００から、送信パラメータを最良値に設定するための送信パラメータ変更要求を受信したか否かを判断する（ステップＳ４１８）。
【０１０２】
ステップＳ４１８において、伝送装置３００から、当該送信パラメータ変更要求を受信していない場合（ステップＳ４１８；Ｎｏ）、伝送装置２００は、ステップＳ４１８の処理を繰り返す。
【０１０３】
ステップＳ４１８において、伝送装置３００から、当該送信パラメータ変更要求を受信した場合（ステップＳ４１８；Ｙｅｓ）、伝送装置２００の送信信号制御回路２１５は、送信側等化回路２１３の送信パラメータを最良値に変更するための制御信号を送信パラメータ設定回路２１４に入力する。次いで、送信パラメータ設定回路２１４は、当該制御信号に従って送信パラメータを最良値に変更し（ステップＳ４１９）、本処理を終了する。
【０１０４】
次に、図９を参照しながら、本実施の形態２に係る伝送装置２００，３００において高速信号を調整する際の受信パラメータ及び送信パラメータの状態とパターン配線伝送路４００，５００の状態とについて説明する。なお、図９において、送信パラメータの設定範囲を１以上Ｎ以下とし（Ｎは、正の整数）、受信パラメータの設定範囲を１以上Ｍ以下とする（Ｍは、正の整数）。また、伝送装置２００の送信パラメータの最良値をＮｘとし、受信パラメータの最良値をＭｙとする。また、伝送装置３００の送信パラメータの最良値をＮｙとし、受信パラメータの最良値をＭｘとする。ここで、送信パラメータの最良値Ｎｘ，Ｎｙ及び受信パラメータの最良値Ｍｘ，Ｍｙは、伝送装置２００と伝送装置３００との間の伝送信号品質が最も良くなる送信パラメータの値及び受信パラメータの値である。
【０１０５】
図９に示すように、図７及び図８のフローチャートに示す処理の順番に従って、送信パラメータ及び受信パラメータが変更される。具体的には、図７に示すステップＳ３１２及びステップＳ３１６のタイミングで、伝送装置３００からパターン配線伝送路５００を介して伝送装置２００へ送信パラメータ変更要求が送信される。また、図８に示すステップＳ４１２において送信パラメータが変更される度に、伝送装置２００からパターン配線伝送路４００を介して伝送装置３００へ送信パラメータ変更完了通知が送信される（ステップＳ４１４）。当該送信パラメータ変更完了通知や送信パラメータ変更要求のパターンフォーマットは特に限定されるものではなく、伝送装置２００の受信回路部２２０及び伝送装置３００の受信回路部３２０において認識可能なものであればよい。
すなわち、本実施の形態２では、図９に示すように、伝送装置２００及び伝送装置３００において、伝送信号品質の測定及び算出処理（ステップＳ３０６及びステップＳ４０６の処理）が、ほぼ同時に、Ｎ×Ｍ回実施される。
【０１０６】
以上に説明した実施の形態２に係る高速信号伝送システム１００、高速信号伝送装置２００，３００、高速信号伝送方法、及び、プログラムによれば、実施の形態１に係る高速信号伝送システム１００、高速信号伝送装置２００，３００、高速信号伝送方法、及び、プログラムと同様の効果が得られる。
また、実施の形態２では、伝送装置２００及び伝送装置３００の双方において、伝送信号品質の測定及び算出処理が、ほぼ同時に、Ｎ×Ｍ回実施される。そのため、実施の形態２は、実施の形態１に比べて、調整時間を増加させずに、信号品質をさらに向上させることができる。
【０１０７】
実施の形態３
本発明の実施の形態３に係る高速信号伝送システム及び高速信号伝送装置は、実施の形態１に係る高速信号伝送システム１００及び高速信号伝送装置２００，３００と同じであるため、同一の符号を用いるとともに、その説明を省略する。
【０１０８】
次に、図１０を参照しながら、本実施の形態３に係る高速信号伝送方法について説明する。実施の形態３に係る高速信号伝送方法は、受信側の伝送装置３００が図３に示す処理の代わりに、図１０に示す処理を行う点が実施の形態１に係る高速信号伝送方法と異なる。具体的には、受信側の伝送装置３００が、受信側の伝送装置３００が、図３に示す処理の代わりに、図１０に示す処理を行うことにより、調整時間を短縮することができる。例えば、受信側の伝送装置３００が、図３に示すステップＳ１１０において送信側の伝送装置２００の送信パラメータを受信し、ステップＳ１０４において受信パラメータを測定及び算出しても、受信パラメータの最良値が大きく変動しない特性を有する等の場合、受信側の伝送装置３００は、図３に示す処理の代わりに、図１０に示す処理を行う。なお、本実施の形態３において、送信側の伝送装置２００は、図４に示す処理を行う。
【０１０９】
まず、図１０に示すように、送信側の伝送装置２００の送信回路部２１０から調整用の疑似ランダムパターンが入力されると、伝送装置３００において信号補正のトレーニングが開始される（ステップＳ５０１）。
【０１１０】
次に、伝送装置３００は、当該伝送装置３００の受信パラメータをスイープして、受信信号識別回路３２４が、伝送信号品質を測定及び算出し、受信パラメータと伝送信号品質とを対応付けてデータ保存部３３０に格納する（ステップＳ５０２）。具体的には、伝送装置３００は、送信側の伝送装置２００の送信パラメータが初期設定値に固定された状態で、受信側の伝送装置３００の受信パラメータをスイープし、図３に示すステップＳ１０２〜ステップＳ１０７の処理を実行する。なお、受信パラメータをスイープするとは、受信パラメータを順次インクリメント又はデクリメントすることを意味する。また、伝送信号品質の値は、誤り率（ＢＥＲ）やアイパターン開口率等が挙げられるが、本発明では、伝送信号品質の値は、これらに限定されない。
【０１１１】
次に、伝送装置３００の受信信号制御回路３２３は、ステップＳ５０２において測定した受信パラメータの測定値の中の最良値を仮の最良値とし、受信側等化回路３２１の受信パラメータを当該仮の最良値に設定するための制御信号を受信パラメータ設定回路３２２に入力する。次いで、受信パラメータ設定回路３２２は、当該制御信号に従って受信パラメータを変更する（ステップＳ５０３）。
【０１１２】
次に、伝送装置３００の送信回路部３１０は、パターン配線伝送路５００を介して、送信パラメータ変更要求を、送信側の伝送装置２００に送信し（ステップＳ５０４）、図４に示すステップＳ２０３へ進む。
【０１１３】
次に、伝送装置３００は、伝送装置２００から、送信パラメータ変更完了通知を受信したか否かを判断する（ステップＳ５０５）。
【０１１４】
ステップＳ５０５において、伝送装置２００から、送信パラメータ変更完了通知を受信していない場合（ステップＳ５０５；Ｎｏ）、伝送装置３００は、ステップＳ５０５の処理を繰り返す。
【０１１５】
ステップＳ５０５において、伝送装置２００から、送信パラメータ変更完了通知を受信した場合（ステップＳ５０５；Ｙｅｓ）、伝送装置３００はステップＳ５０６〜ステップＳ５０８の処理を行う。ステップＳ５０６〜ステップＳ５０８の処理は、図３に示すステップＳ１０３〜ステップＳ１０５の処理と同じであるため、その説明を省略する。
【０１１６】
次に、受信信号制御回路３２３は、送信側の伝送装置２００の送信パラメータが所定の限界値（後述する図１１ではＮ）に達しているか否かを判断する（ステップＳ５０９）。なお、伝送装置２００の送信パラメータの値は、図４に示すステップＳ２０７の処理において、伝送装置２００から伝送装置３００へ送信されている。
【０１１７】
ステップＳ５０９において、送信側の伝送装置２００の送信パラメータが所定の限界値に達していない場合（ステップＳ５０９；Ｎｏ）、ステップＳ５０４へ戻る。
すなわち、ステップＳ５０４〜ステップＳ５０９の処理では、受信側の伝送装置３００の受信パラメータを仮の最良値に固定した状態で、送信側の伝送装置２００の送信パラメータがスイープされて、受信信号識別回路３２４が、伝送信号品質を測定及び算出し、送信パラメータと伝送信号品質とを対応付けてデータ保存部３３０に格納する。なお、送信パラメータをスイープするとは、送信パラメータをインクリメント又はデクリメントすることを意味する。
【０１１８】
ステップＳ５０９において、送信側の伝送装置２００の送信パラメータが所定の限界値に達している場合（ステップＳ５０９；Ｙｅｓ）、送信側の伝送装置２００における当該送信パラメータの変更及び設定が完了している。そのため、受信側の伝送装置３００の送信回路部３１０は、パターン配線伝送路５００を介して、送信パラメータを最良値に設定するための送信パラメータ変更要求を、送信側の伝送装置２００に送信し（ステップＳ５１０）、後述する図４に示すステップＳ２０３へ進む。具体的には、送信信号制御回路３１５は、データ保存部３３０に格納されている伝送信号品質の値から、最良の伝送信号品質の値を抽出し、当該最良の伝送信号品質の値と対応付けられた送信パラメータの値を、送信パラメータの最良値として選択し、送信回路部３１０に入力する。なお、伝送装置３００から伝送装置２００への通知方法は、伝送装置２００の受信回路部２２０で認識可能な方法であれば、特に限定されない。
【０１１９】
次に、伝送装置３００は、伝送装置２００から、送信パラメータ変更完了通知を受信したか否かを判断する（ステップＳ５１１）。
【０１２０】
ステップＳ５１１において、伝送装置２００から、送信パラメータ変更完了通知を受信していない場合（ステップＳ５１１；Ｎｏ）、伝送装置３００は、ステップＳ５１１の処理を繰り返す。
【０１２１】
ステップＳ５１１において、伝送装置２００から、送信パラメータ変更完了通知を受信した場合（ステップＳ５１１；Ｙｅｓ）、伝送装置３００は、当該伝送装置３００の受信パラメータをスイープして、受信信号識別回路３２４が、伝送信号品質を測定及び算出し、受信パラメータと伝送信号品質とを対応付けてデータ保存部３３０に格納する（ステップＳ５１２）。具体的には、伝送装置３００は、送信側の伝送装置２００の送信パラメータがステップＳ５１０の最良値に固定された状態で、受信側の伝送装置３００の受信パラメータをスイープし、図３に示すステップＳ１０２〜ステップＳ１０７の処理を実行する。
ここで、再度、受信パラメータがスイープされて伝送信号品質が測定されるのは、送信パラメータの変動によって、受信パラメータの仮の最良値が本当に最良値となっているかどうかを確認するためである。
【０１２２】
次に、伝送装置３００の受信信号制御回路３２３は、受信側等化回路３２１の受信パラメータを、ステップＳ５１２において測定した受信パラメータの測定値の中の最良値に設定するための制御信号を受信パラメータ設定回路３２２に入力する。次いで、受信パラメータ設定回路３２２は、当該制御信号に従って受信パラメータを変更する（ステップＳ５１３）。また、ステップＳ５１３において、伝送装置３００の送信回路部３１０は、パターン配線伝送路５００を介して、変更完了通知（図１１に示す「調整の完了」）を、送信側の伝送装置２００に送信し、図４に示すステップＳ２０４の処理へ進み、本処理を終了する。
【０１２３】
ここで、ステップＳ５１３における最良値は、ステップＳ５０３における仮の最良値と異なってもよい。
また、ステップＳ５１３における最良値が、ステップＳ５０３における仮の最良値を中央値とする所定の範囲内であるか否かを判断し、ステップＳ５１３における最良値が当該所定の範囲外である場合には、再度、図１０の処理を実行するか、本実施の形態３に係る高速信号伝送方法の実施を中止してもよい。
これは、図１０に示す処理は、受信パラメータの最良値が大きく変動しない特性を有する場合を想定しているためである。
【０１２４】
次に、図１１を参照しながら、本実施の形態３に係る伝送装置２００，３００において高速信号を調整する際の受信パラメータ及び送信パラメータの状態とパターン配線伝送路４００，５００の状態とについて説明する。なお、図１１において、送信パラメータの設定範囲を１以上Ｎ以下とし（Ｎは、正の整数）、受信パラメータの設定範囲を１以上Ｍ以下とする（Ｍは、正の整数）。また、伝送装置２００の送信パラメータの最良値をＮｘとし、伝送装置３００の受信パラメータの最良値をＭｘとし、仮の最良値をＭｘ’とする。ここで、送信パラメータの最良値Ｎｘ及び受信パラメータの最良値Ｍｘは、伝送装置２００と伝送装置３００との間の伝送信号品質が最も良くなる送信パラメータの値及び受信パラメータの値である。
【０１２５】
図１１に示すように、図４及び図１０のフローチャートに示す処理の順番に従って、送信パラメータ及び受信パラメータが変更される。具体的には、まず、図１０に示すステップＳ５０２において、送信側の伝送装置２００の送信パラメータが初期設定値に固定された状態で、受信側の伝送装置３００の受信パラメータが１〜Ｍにスイープされて、伝送信号品質が測定される。すなわち、ステップＳ５０２の伝送信号品質の測定及び算出処理がＭ回行われる。そして、ステップＳ５０２において測定された伝送信号品質の中で最も良い伝送信号品質に対応する受信パラメータの値が仮の最良値Ｍｘ’として設定される（ステップＳ５０３）。
【０１２６】
次に、ステップＳ５０４〜ステップＳ５０９において、受信側の伝送装置３００の受信パラメータが仮の最良値Ｍｘ’に固定された状態で、送信側の伝送装置２００の送信パラメータが１〜Ｎにスイープされて、伝送信号品質が測定される。すなわち、ステップＳ５０７の伝送信号品質の測定及び算出処理がＮ回行われる。そして、図４のステップＳ２０５において、送信側の伝送装置２００の送信パラメータが最良値Ｎｘに設定される。
【０１２７】
次に、再度、ステップＳ５１２において、送信側の伝送装置２００の送信パラメータが最良値Ｎｘに固定された状態で、受信側の伝送装置３００の受信パラメータが１〜Ｍにスイープされて、伝送信号品質が測定される。すなわち、ステップＳ５１２の伝送信号品質の測定及び算出処理がＭ回行われる。そして、ステップＳ５１２において測定された伝送信号品質の中で最も良い伝送信号品質に対応する受信パラメータの値Ｍｘが受信パラメータとして設定される（ステップＳ５１３）。
【０１２８】
すなわち、本実施の形態３では、伝送信号品質の測定及び算出処理が２Ｍ＋Ｎ回行われる。これに対し、実施の形態１では、伝送信号品質の測定及び算出処理がＭ×Ｎ回行われる。そのため、Ｎ＞３且つＭ＞３の条件では、実施の形態３に係る高速信号伝送方法は、実施の形態１に係る高速信号伝送方法に比べて、伝送信号品質の測定回数及び伝送信号品質の測定時間を減らすことができる。
【０１２９】
なお、最良値Ｍｘは、仮の最良値Ｍｘ’と異なってもよい。また、最良値Ｍｘが、仮の最良値Ｍｘ’を中央値とする所定の範囲内であるか否かを判断し、最良値Ｍｘが当該所定の範囲外である場合には、再度、図１０の処理を実行するか、本実施の形態３に係る高速信号伝送方法の実施を中止してもよい。
これは、図１０に示す処理は、受信パラメータの最良値が大きく変動しない特性を有する場合を想定しているためである。
【０１３０】
以上に説明した実施の形態３に係る高速信号伝送システム１００、高速信号伝送装置２００，３００、高速信号伝送方法、及び、プログラムによれば、実施の形態１に係る高速信号伝送システム１００、高速信号伝送装置２００，３００、高速信号伝送方法、及び、プログラムと同様の効果が得られる。
また、実施の形態３では、伝送信号品質の測定及び算出処理が２Ｍ＋Ｎ回行われるのに対し、実施の形態１では、伝送信号品質の測定及び算出処理がＭ×Ｎ回行われる。そのため、Ｎ＞３且つＭ＞３の条件では、実施の形態３に係る高速信号伝送方法は、実施の形態１に係る高速信号伝送方法に比べて、伝送信号品質の測定回数及び伝送信号品質の測定時間を減らすことができる。
【０１３１】
その他の実施の形態
また、実施の形態２に係る高速信号伝送方法に、実施の形態３に係る高速信号伝送方法が適用されてもよい。ここで、図２の伝送装置３００が送信パラメータの変更を要求する側、伝送装置２００が送信パラメータの変更を受ける側とする。
具体的には、伝送装置２００，３００が互いに他方の伝送装置２００，３００の受信回路部２２０，３２０に調整用の疑似ランダムパターンを入力する。また、どちらか一方の伝送装置２００，３００が自身の送信回路部２１０，３１０と他方の伝送装置２００，３００に対して送信パラメータの変更を要求する。これにより、送信側の伝送装置２００，３００及び受信側の伝送装置２００，３００の双方において、高速信号ラインを同時に調整することができ、調整時間を増加させずに信号品質をさらに向上させることができる。
【０１３２】
例えば、送信パラメータの設定範囲を１以上Ｎ以下とし（Ｎは、正の整数）、受信パラメータの設定範囲を１以上Ｍ以下とする（Ｍは、正の整数）。また、伝送装置２００の送信パラメータの最良値をＮｘとし、受信パラメータの最良値をＭｙとし、仮の最良値をＭｙ’とする。また、伝送装置３００の送信パラメータの最良値をＮｙとし、受信パラメータの最良値をＭｘとし、仮の最良値をＭｘ’とする。ここで、送信パラメータの最良値Ｎｘ，Ｎｙ及び受信パラメータの最良値Ｍｘ，Ｍｙは、伝送装置２００と伝送装置３００との間の伝送信号品質が最も良くなる送信パラメータの値及び受信パラメータの値である。
【０１３３】
そして、まず、送信側の伝送装置２００の送信パラメータが初期設定値に固定された状態で、受信側の伝送装置３００の受信パラメータが１〜Ｍにスイープされて、伝送信号品質が測定される。すなわち、伝送信号品質の測定及び算出処理がＭ回行われる。そして、測定された伝送信号品質の中で最も良い伝送信号品質に対応する受信パラメータの値が仮の最良値Ｍｘ’として設定される。
【０１３４】
次に、受信側の伝送装置３００の受信パラメータが仮の最良値Ｍｘ’に固定された状態で、送信側の伝送装置２００の送信パラメータが１〜Ｎにスイープされて、伝送信号品質が測定される。すなわち、伝送信号品質の測定及び算出処理がＮ回行われる。そして、送信側の伝送装置２００の送信パラメータが最良値Ｎｘに設定される。
【０１３５】
次に、再度、送信側の伝送装置２００の送信パラメータが最良値Ｎｘに固定された状態で、受信側の伝送装置３００の受信パラメータが１〜Ｍにスイープされて、伝送信号品質が測定される。すなわち、伝送信号品質の測定及び算出処理がＭ回行われる。そして、測定された伝送信号品質の中で最も良い伝送信号品質に対応する受信パラメータの値が最良値Ｍｘとして設定される。
【０１３６】
同様に、受信側の伝送装置３００の送信パラメータが初期設定値に固定された状態で、送信側の伝送装置２００の受信パラメータが１〜Ｍにスイープされて、伝送信号品質が測定される。すなわち、伝送信号品質の測定及び算出処理がＭ回行われる。そして、測定された伝送信号品質の中で最も良い伝送信号品質に対応する受信パラメータの値が仮の最良値Ｍｙ’として設定される。
【０１３７】
次に、送信側の伝送装置２００の受信パラメータが仮の最良値Ｍｙ’に固定された状態で、受信側の伝送装置３００の送信パラメータが１〜Ｎにスイープされて、伝送信号品質が測定される。すなわち、伝送信号品質の測定及び算出処理がＮ回行われる。そして、受信側の伝送装置３００の送信パラメータが最良値Ｎｙに設定される。
【０１３８】
次に、再度、受信側の伝送装置３００の送信パラメータが最良値Ｎｙに固定された状態で、送信側の伝送装置２００の受信パラメータが１〜Ｍにスイープされて、伝送信号品質が測定される。すなわち、ステップＳ７１５の伝送信号品質の測定及び算出処理がＭ回行われる。そして、測定された伝送信号品質の中で最も良い伝送信号品質に対応する受信パラメータの値が最良値Ｍｙとして設定される。
【０１３９】
すなわち、実施の形態２に係る高速信号伝送方法に、実施の形態３に係る高速信号伝送方法を適用した場合、送信側の伝送装置２００と受信側の伝送装置３００の双方において、ほぼ同時に、伝送信号品質の測定及び算出処理がＭ＋Ｎ回行われる。その後、伝送装置２００の送信パラメータが最良値Ｎｘに固定された状態で、伝送装置３００において受信パラメータがスイープされて伝送信号品質の測定がＭ回行われる。また、伝送装置３００の送信パラメータが最良値Ｎｙに固定された状態で、伝送装置２００において受信パラメータがスイープされて伝送信号品質の測定がＭ回行われる。すなわち、伝送信号品質の測定及び算出処理が３Ｍ＋Ｎ回行われる。これに対し、実施の形態１では、伝送信号品質の測定及び算出処理がＭ×Ｎ回行われる。そのため、実施の形態２に係る高速信号伝送方法に、実施の形態３に係る高速信号伝送方法を適用した場合、Ｎ＞４且つＭ＞４の条件において、実施の形態１に係る高速信号伝送方法に比べて、伝送信号品質の測定回数及び伝送信号品質の測定時間を減らしつつ信号品質を向上することができる。
【０１４０】
なお、最良値Ｍｘは、仮の最良値Ｍｘ’と異なってもよい。また、最良値Ｍｘが、仮の最良値Ｍｘ’を中央値とする所定の範囲内であるか否かを判断し、最良値Ｍｘが当該所定の範囲外である場合には、再度、伝送装置３００において上記処理を実行するか、高速信号伝送方法の実施を中止してもよい。
同様に、最良値Ｍｙは、仮の最良値Ｍｙ’と異なってもよい。また、最良値Ｍｙが、仮の最良値Ｍｙ’を中央値とする所定の範囲内であるか否かを判断し、最良値Ｍｙが当該所定の範囲外である場合には、再度、伝送装置２００において上記処理を実行するか、高速信号伝送方法の実施を中止してもよい。
これは、上記の処理は、受信パラメータの最良値が大きく変動しない特性を有する場合を想定しているためである。
【０１４１】
なお、本発明は上記実施の形態に限られたものではなく、趣旨を逸脱しない範囲で適宜変更することが可能である。例えば、図６、図９、図１１では、パラメータが順次インクリメントされることによりスイープされる例を示したが、パラメータが順次デクリメントされてスイープされてもよい。
【０１４２】
また、上述の実施の形態では、本発明をハードウェアの構成として説明したが、本発明は、これに限定されるものではない。本発明は、図３、図４、図７、図８、図１０のフローチャートに記載の処理手順を、ＣＰＵ（Central Processing Unit）にコンピュータプログラムを実行させることにより実現することも可能である。
【０１４３】
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１４４】
上記の実施形態の一部又は全部は、以下の付記のようにも記載されうるが、以下には限られない。
（付記１）
他の高速信号伝送装置からの信号を受信する受信回路部と、
前記他の高速信号伝送装置に信号を送信する送信回路部と、
を伝送チャンネル毎に備え、
前記送信回路部は、前記他の高速信号伝送装置に対して、当該他の高速信号伝送装置の送信パラメータをインクリメント又はデクリメントする送信パラメータ変更要求を送信し、
前記受信回路部は、
前記他の高速信号伝送装置の送信パラメータがインクリメント又はデクリメントされる度に、受信パラメータをスイープさせて、伝送信号品質を測定し、
測定した前記伝送信号品質が最良値となる際の、前記他の高速信号伝送装置の送信パラメータを前記他の高速信号伝送装置の送信パラメータの最良値と決定し、
測定した前記伝送信号品質が最良値となる際の前記受信パラメータを前記受信パラメータの最良値と決定して、前記受信パラメータを前記受信パラメータの最良値に設定し、
前記送信回路部は、前記他の高速信号伝送装置に対して、当該他の高速信号伝送装置の送信パラメータを前記他の高速信号伝送装置の送信パラメータの最良値に設定するための送信パラメータ変更要求を送信する、高速信号伝送装置。
（付記２）
前記受信回路部は、
前記他の高速信号伝送装置の送信パラメータが初期設定値に固定された状態で、前記受信パラメータをスイープさせて、前記伝送信号品質を測定することにより、前記受信パラメータの仮の最良値を決定し、
前記受信パラメータを前記仮の最良値に固定した状態で、前記他の高速信号伝送装置の送信パラメータがインクリメント又はデクリメントされる度に、前記伝送信号品質を測定することにより、前記他の高速信号伝送装置の送信パラメータの最良値を決定し、
前記他の高速信号伝送装置の送信パラメータが前記他の高速信号伝送装置の送信パラメータの最良値に固定された状態で、前記受信パラメータをスイープさせて、前記伝送信号品質を測定することにより、前記受信パラメータの最良値を決定する、
付記１に記載の高速信号伝送装置。
（付記３）
複数の高速信号伝送装置が通信可能に接続される高速信号伝送システムであって、
前記高速信号伝送装置は、
他の高速信号伝送装置からの信号を受信する受信回路部と、
前記他の高速信号伝送装置に信号を送信する送信回路部と、
を伝送チャンネル毎に備え、
前記送信回路部は、前記他の高速信号伝送装置に対して、当該他の高速信号伝送装置の送信パラメータをインクリメント又はデクリメントする送信パラメータ変更要求を送信し、
前記受信回路部は、
前記他の高速信号伝送装置の送信パラメータがインクリメント又はデクリメントされる度に、受信パラメータをスイープさせて、伝送信号品質を測定し、
測定した前記伝送信号品質が最良値となる際の、前記他の高速信号伝送装置の送信パラメータを前記他の高速信号伝送装置の送信パラメータの最良値と決定し、
測定した前記伝送信号品質が最良値となる際の前記受信パラメータを前記受信パラメータの最良値と決定して、前記受信パラメータを前記受信パラメータの最良値に設定し、
前記送信回路部は、前記他の高速信号伝送装置に対して、当該他の高速信号伝送装置の送信パラメータを前記他の高速信号伝送装置の送信パラメータの最良値に設定するための送信パラメータ変更要求を送信する、高速信号伝送システム。
（付記４）
前記受信回路部は、
前記他の高速信号伝送装置の送信パラメータが初期設定値に固定された状態で、前記受信パラメータをスイープさせて、前記伝送信号品質を測定することにより、前記受信パラメータの仮の最良値を決定し、
前記受信パラメータを前記仮の最良値に固定した状態で、前記他の高速信号伝送装置の送信パラメータがインクリメント又はデクリメントされる度に、前記伝送信号品質を測定することにより、前記他の高速信号伝送装置の送信パラメータの最良値を決定し、
前記他の高速信号伝送装置の送信パラメータが前記他の高速信号伝送装置の送信パラメータの最良値に固定された状態で、前記受信パラメータをスイープさせて、前記伝送信号品質を測定することにより、前記受信パラメータの最良値を決定する、
付記３に記載の高速信号伝送システム。
（付記５）
他の高速信号伝送装置からの信号を受信し、前記他の高速信号伝送装置に信号を送信する高速信号伝送装置において実施される高速信号伝送方法であって、
前記高速信号伝送装置は、伝送チャンネル毎に、
前記他の高速信号伝送装置に対して、当該他の高速信号伝送装置の送信パラメータをインクリメント又はデクリメントする送信パラメータ変更要求を送信し、
前記他の高速信号伝送装置の送信パラメータがインクリメント又はデクリメントされる度に、受信パラメータをスイープさせて、伝送信号品質を測定し、
測定した前記伝送信号品質が最良値となる際の、前記他の高速信号伝送装置の送信パラメータを前記他の高速信号伝送装置の送信パラメータの最良値と決定し、
測定した前記伝送信号品質が最良値となる際の前記受信パラメータを前記受信パラメータの最良値と決定して、前記受信パラメータを前記受信パラメータの最良値に設定し、
前記他の高速信号伝送装置に対して、当該他の高速信号伝送装置の送信パラメータを前記他の高速信号伝送装置の送信パラメータの最良値に設定するための送信パラメータ変更要求を送信する、高速信号伝送方法。
（付記６）
前記高速信号伝送装置は、伝送チャンネル毎に、
前記他の高速信号伝送装置の送信パラメータが初期設定値に固定された状態で、前記受信パラメータをスイープさせて、前記伝送信号品質を測定することにより、前記受信パラメータの仮の最良値を決定し、
前記受信パラメータを前記仮の最良値に固定した状態で、前記他の高速信号伝送装置の送信パラメータがインクリメント又はデクリメントされる度に、前記伝送信号品質を測定することにより、前記他の高速信号伝送装置の送信パラメータの最良値を決定し、
前記他の高速信号伝送装置の送信パラメータが前記他の高速信号伝送装置の送信パラメータの最良値に固定された状態で、前記受信パラメータをスイープさせて、前記伝送信号品質を測定することにより、前記受信パラメータの最良値を決定する、
付記５に記載の高速信号伝送方法。
（付記７）
複数の高速信号伝送装置が通信可能に接続される高速信号伝送システムにおいて、前記高速信号伝送装置において実施される高速信号伝送方法であって、
前記高速信号伝送装置は、伝送チャンネル毎に、
他の高速信号伝送装置に対して、当該他の高速信号伝送装置の送信パラメータをインクリメント又はデクリメントする送信パラメータ変更要求を送信し、
前記他の高速信号伝送装置の送信パラメータがインクリメント又はデクリメントされる度に、受信パラメータをスイープさせて、伝送信号品質を測定し、
測定した前記伝送信号品質が最良値となる際の、前記他の高速信号伝送装置の送信パラメータを前記他の高速信号伝送装置の送信パラメータの最良値と決定し、
測定した前記伝送信号品質が最良値となる際の前記受信パラメータを前記受信パラメータの最良値と決定して、前記受信パラメータを前記受信パラメータの最良値に設定し、
前記他の高速信号伝送装置に対して、当該他の高速信号伝送装置の送信パラメータを前記他の高速信号伝送装置の送信パラメータの最良値に設定するための送信パラメータ変更要求を送信する、高速信号伝送方法。
（付記８）
前記高速信号伝送装置は、伝送チャンネル毎に、
前記他の高速信号伝送装置の送信パラメータが初期設定値に固定された状態で、前記受信パラメータをスイープさせて、前記伝送信号品質を測定することにより、前記受信パラメータの仮の最良値を決定し、
前記受信パラメータを前記仮の最良値に固定した状態で、前記他の高速信号伝送装置の送信パラメータがインクリメント又はデクリメントされる度に、前記伝送信号品質を測定することにより、前記他の高速信号伝送装置の送信パラメータの最良値を決定し、
前記他の高速信号伝送装置の送信パラメータが前記他の高速信号伝送装置の送信パラメータの最良値に固定された状態で、前記受信パラメータをスイープさせて、前記伝送信号品質を測定することにより、前記受信パラメータの最良値を決定する、
付記７に記載の高速信号伝送方法。
（付記９）
他の高速信号伝送装置からの信号を受信し、前記他の高速信号伝送装置に信号を送信する高速信号伝送装置に、伝送チャンネル毎に、
前記他の高速信号伝送装置に対して、当該他の高速信号伝送装置の送信パラメータをインクリメント又はデクリメントする送信パラメータ変更要求を送信する処理と、
前記他の高速信号伝送装置の送信パラメータがインクリメント又はデクリメントされる度に、受信パラメータをスイープさせて、伝送信号品質を測定する処理と、
測定した前記伝送信号品質が最良値となる際の、前記他の高速信号伝送装置の送信パラメータを前記他の高速信号伝送装置の送信パラメータの最良値と決定する処理と、
測定した前記伝送信号品質が最良値となる際の前記受信パラメータを前記受信パラメータの最良値と決定して、前記受信パラメータを前記受信パラメータの最良値に設定する処理と、
前記他の高速信号伝送装置に対して、当該他の高速信号伝送装置の送信パラメータを前記他の高速信号伝送装置の送信パラメータの最良値に設定するための送信パラメータ変更要求を送信する処理と、を実行させるプログラム。
（付記１０）
前記高速信号伝送装置に、伝送チャンネル毎に、
前記他の高速信号伝送装置の送信パラメータが初期設定値に固定された状態で、前記受信パラメータをスイープさせて、前記伝送信号品質を測定することにより、前記受信パラメータの仮の最良値を決定する処理と、
前記受信パラメータを前記仮の最良値に固定した状態で、前記他の高速信号伝送装置の送信パラメータがインクリメント又はデクリメントされる度に、前記伝送信号品質を測定することにより、前記他の高速信号伝送装置の送信パラメータの最良値を決定する処理と、
前記他の高速信号伝送装置の送信パラメータが前記他の高速信号伝送装置の送信パラメータの最良値に固定された状態で、前記受信パラメータをスイープさせて、前記伝送信号品質を測定することにより、前記受信パラメータの最良値を決定する処理と、
を実行させる、付記９に記載のプログラム。
（付記１１）
複数の高速信号伝送装置が通信可能に接続される高速信号伝送システムにおいて、前記高速信号伝送装置に、伝送チャンネル毎に、
他の高速信号伝送装置に対して、当該他の高速信号伝送装置の送信パラメータをインクリメント又はデクリメントする送信パラメータ変更要求を送信する処理と、
前記他の高速信号伝送装置の送信パラメータがインクリメント又はデクリメントされる度に、受信パラメータをスイープさせて、伝送信号品質を測定する処理と、
測定した前記伝送信号品質が最良値となる際の、前記他の高速信号伝送装置の送信パラメータを前記他の高速信号伝送装置の送信パラメータの最良値と決定する処理と、
測定した前記伝送信号品質が最良値となる際の前記受信パラメータを前記受信パラメータの最良値と決定して、前記受信パラメータを前記受信パラメータの最良値に設定する処理と、
前記他の高速信号伝送装置に対して、当該他の高速信号伝送装置の送信パラメータを前記他の高速信号伝送装置の送信パラメータの最良値に設定するための送信パラメータ変更要求を送信する処理と、を実行させる、プログラム。
（付記１２）
前記高速信号伝送装置に、伝送チャンネル毎に、
前記他の高速信号伝送装置の送信パラメータが初期設定値に固定された状態で、前記受信パラメータをスイープさせて、前記伝送信号品質を測定することにより、前記受信パラメータの仮の最良値を決定する処理と、
前記受信パラメータを前記仮の最良値に固定した状態で、前記他の高速信号伝送装置の送信パラメータがインクリメント又はデクリメントされる度に、前記伝送信号品質を測定することにより、前記他の高速信号伝送装置の送信パラメータの最良値を決定する処理と、
前記他の高速信号伝送装置の送信パラメータが前記他の高速信号伝送装置の送信パラメータの最良値に固定された状態で、前記受信パラメータをスイープさせて、前記伝送信号品質を測定することにより、前記受信パラメータの最良値を決定する処理と、
を実行させる、付記１１に記載のプログラム。
【符号の説明】
【０１４５】
１００  高速信号伝送システム
２００、３００  高速信号伝送装置
２１０、３１０  送信回路部
２１１、３１１  ランダムパターン生成回路
２１２、３１２  選択回路
２１３、３１３  送信側等化回路
２１４、３１４  送信パラメータ設定回路
２１５、３１５  送信信号制御回路
２１６、３１６  切替回路
２２０、３２０  受信回路部
２２１、３２１  受信側等化回路
２２２、３２２  受信パラメータ設定回路
２２３、３２３  受信信号制御回路
２２４、３２４  受信信号識別回路
２２５、３２５  制御データ抽出回路
２３０、３３０  データ保存部
【図１】
2020174228.tif 000003
【図２】
2020174228.tif 000004
【図３】
2020174228.tif 000005
【図４】
2020174228.tif 000006
【図５】
2020174228.tif 000007
【図６】
2020174228.tif 000008
【図７】
2020174228.tif 000009
【図８】
2020174228.tif 000010
【図９】
2020174228.tif 000011
【図１０】
2020174228.tif 000012
【図１１】
2020174228.tif 000013